(57)【要約】      （修正有）【課題】長時間にわたって適度の温度が維持されるとともに健康などでの機能性のある家庭用の足湯装置を提供する。【解決手段】両足Ｆを収納可能な大きさの木箱１の内側全面に金属板３を被覆するとともに、金属板３と木箱１の底面との間に電熱プレート２を敷設し、金属板３の側面部分を隠すように添設した側面仕切り板４を木箱１内に着脱可能に装着し、中央に石止め孔を設けるとともに石止め孔に下面を伝熱金属製底板７で覆った石板６を嵌合した足載せ底板５を、木箱１底面の金属板３上に載置して成り、電源に接続した電熱プレート２で木箱１内の温水を加熱して適温とした温水に足を浸けられるようにする。【選択図】図１
0003134711.tif 000002
【実用新案登録請求の範囲】
【請求項１】
両足Ｆを収納可能な大きさの木箱１の内側全面に金属板３を被覆するとともに該金属板３と該木箱１の底面との間に電熱プレート２を敷設し、
前記金属板３の側面部分を隠すように添設した側面仕切り板４を前記木箱１内に着脱可能に装着し、
中央に石止め孔５ａを設けるとともに該石止め孔５ａに下面を伝熱金属製底板７で覆った機能性石板６を嵌合した足載せ底板５を、前記木箱１底面の金属板３上に載置して成り、
電源に接続し温度を調節できるようにした電熱プレート２で木箱１内の温水を過熱して適温とした温水に足を浸けられるようにしたこととを特徴とする足湯装置。
【請求項２】
一方の側面仕切り板４の側端部に縦のスライド溝８ａを設けるとともに他方の側面仕切り板４の側端部に該スライド嵌合溝８に嵌合可能なスライド嵌合縁８ｂを設けて、木箱１の内部に着脱可能に装着できるようにしたことを特徴とする請求項１に記載の足湯装置。
【請求項３】
木箱１の側面板１ｂの開口上端１ｃに上枠１１を周設して該上枠１１上に、板面内に足入れ口１０を開口させるとともに下面に該上枠１１に対する係合部９ｄを設けて前記枠蓋９を木箱１上に安定的に載置できるようにしたことを特徴とする請求項１又は２に記載の足湯装置。
【考案の詳細な説明】
【技術分野】
【０００１】
本考案は、足を温水で暖める足湯装置に関する。
【背景技術】
【０００２】
最近では温泉地では温水溝を設け、その溝に温泉を流し、椅子などに腰を掛けて入れた足が温泉で暖めることができるようにする（足湯と呼ばれる）ことが行われているが、そのような足湯をそのまま一般家庭でしようとしても大掛かりな設備を室内に入れることは困難なので、足湯容器などに温水をいれて足を暖めることが行われるようになってきた。
このように一般家庭内で足湯を行うものとしては、例えば下記特許文献１には、温度が低下しないように二重蓋を有し、また底部には足裏刺激部を備えた持ち運び型の足湯用湯液容器構造が提案され、また、下記特許文献２には、湯をヒータで加熱するとともに容器内に入れたセラミック材によって生理効果を高めようとした足湯浴器が提案されている。
【特許文献１】第３００３７５９号登録実用新案公報
【特許文献２】第３０７２４６５号登録実用新案公報
【考案の開示】
【考案が解決しようとする課題】
【０００３】
しかし、上記特許文献１の装置では、突起で足裏を刺激することはできても、二重蓋で温水の保温ができても、足を入れておくと短時間で温水は冷めてしまって、高い温度で長時間足湯を楽しむことができない。
また、上記特許文献２の装置では、加熱していれば温度を高く維持することはできても、加熱を止める短時間で温水が冷めてしまう難点があった。また、この装置ではセラミック材が収納容器に収められた構造となっているので、その分装置構造が複雑化して製造コスト高となる難点があった。
そこで、本考案は、加熱して温度を高く上げ、加熱を停止してもその温度をしばらくは維持することができ、且つ健康を増進させるなど機能的趣向性をも備えた簡潔な構造の一般家庭内用の足湯装置を提供することを目的とする。
【課題を解決するための手段】
【０００４】
上記課題を解決するための本考案の足湯装置における請求項１に記載の考案にあっては、両足Ｆを収納可能な大きさの木箱１の内側全面に金属板３を被覆するとともに、該金属板３と該木箱１の底面との間に電熱プレート２を敷設し、前記金属板３の側面部分を隠すように添設した側面仕切り板４を前記木箱１内に着脱可能に装着し、中央に石止め孔５ａを設けるとともに該石止め孔５ａに下面を伝熱金属製底板７で覆った機能性石板６を嵌合した足載せ底板５を、前記木箱１底面の金属板３上に載置して成る。
そして、電源に接続し温度を調節できるようにしたに電熱プレート２で木箱１内の温水を過熱して適温とした温水に足を浸けられるようにしたこととを特徴とする。
【０００５】
請求項２に記載の考案は、上記考案において、一方の側面仕切り板４の側端部に縦のスライド溝８ａを設けるとともに他方の側面仕切り板４の側端部に該スライド嵌合溝８に嵌合可能なスライド嵌合縁８ｂを設けて、木箱１の内部に着脱可能に装着できるようにしたことを特徴とする。
【０００６】
請求項３に記載の考案は、上記各考案において、前記木箱１の側面板１ｂの開口上端１ｃに上枠１１を周設して該上枠１１上に、板面内に足入れ口１０を開口させるとともに下面に該上枠１１に対する係合部９ｄを設けて前記枠蓋９を木箱１上に安定的に載置できるようにしたことを特徴とする。
【考案の効果】
【０００７】
本考案は上記構成なので、一般家庭でも好きな場所に持ち運んで簡単に足湯を楽しむことができる。
その際、電熱プレート２から熱は伝熱金属製底板７を介して機能性石板６の全体に効率良く熱を伝達させることが可能となり、その温度は温度調節器１５など適度に調節できる。そしてさらに、その温水の温度は木箱の開口部に設けた枠蓋によって加熱を止めても長時間維持させることが可能となる。
また、温水中の機能性石板によって健康機能など各種機能を得ることが可能となる。
さらに、木箱１を構成する桧などの木材からは独特のぬくもりが得られ良好な肌触りで長時間気持ち良く足湯を楽しむことができる。
【０００８】
そして、しばらくすると足の温度が上がって血液の循環で身体全体が暖められるので健康にとって好ましく、例えば、機能性石板６にブラックシリカを使用した場合では、発生した遠赤外線で足が充分に暖められ、より一層の健康増進が得られる。
使用後は電源プラグ１４を外し、水抜き孔１２から栓１６を外し中のお湯を引き抜き、さらに側面仕切り板４を取り外して、各部を充分洗浄した上乾燥させて収納倉や倉庫に保管しておきけば、次に使用したいときにはいつでも簡単に使用することが可能となる。
【考案を実施するための最良の形態】
【０００９】
本考案の実施の形態を示す図に基づいて以下説明する。
本考案の足湯装置は、図１及び図２に示すように、両足Ｆを収納可能な大きさとした厚さ１２ｍｍの抗菌作用がある桧の板で木箱１を組み立てる。
そして、この木箱１の内側の底面には温水を加熱するための電熱プレート２を敷設し、この電熱プレート２の電源コード１３は木箱の側面板１ｂを貫通させるとともに先端の電源プラグ１４との間に温水を適温に調節するための温度調節器１５を装着する。
【００１０】
さらに、前記木箱１の底面の電熱プレート２及び側面板１ｂ上の前記木箱１の内側全面に、図３に示すように、０．５ｍｍ厚のアルミ製又はステンレス製などの錆びにくい金属板３を被覆する。
この前記木箱１の底面には、隅寄りに３０ｍｍ径の水抜き孔１２を開設し、この水抜き孔１２に嵌合する栓１６を上枠１１に固定した吊り紐１７に繋ぎ止める。
【００１１】
そして、図６に示すように、前記木箱１内に着脱可能とした１０ｍｍ厚の桧製の４枚の側面仕切り板４を、前記金属板３の側面の内側を隠すように装着する。
この側面仕切り板４は、図４に示すように、一方の側面仕切り板４の側端部に１０ｍｍ幅の縦のスライド溝８ａを設けるとともに他方の側面仕切り板４の側端部に該スライド嵌合溝８ａに嵌合可能なスライド嵌合縁８ｂを設けたものを使用し、図５に示すように、先ず木箱１の内部にスライド嵌合溝８を備えた側面仕切り板４ａを入れて側方に寄せ、その間にスライド嵌合縁８ｂを備えた側面仕切り板４ａを、前記スライド嵌合溝８ａにスライド嵌合縁８ｂが嵌合されるように上からスライドさせて装着する（側面仕切り板４の装着後の状態を図６に示す）。
【００１２】
また、図６に示すように、周縁部を除く中央部に縦２００ｍｍ、横１００ｍｍ、厚さ２０ｍｍの四角の石止め孔５ａを設けて、該石止め孔５ａ内に下面を銅板又は真鍮板などの1ｍｍ厚の伝熱金属製底板７で覆った厚さ２０ｍｍの機能性石板６を嵌合し、さらに前記石止め孔５ａを除く部位には４箇所に３０ｍｍ径の温水流通孔８を開設した厚さ２０ｍｍの桧製の足載せ底板５を、前記木箱１の金属板３上の底面に載置する。
前記温水流通孔８は、木材の浮力を軽減させる働きをし、浮き上がらないように確実に沈められる。
【００１３】
前記機能性石板６には各種機能を有する石板６を用い、その材料としては、トリマリン、ブラックシリカ、ラジウム、麦飯石などの鉱石が使用可能である。
トリマリンでは水質が浄化され、ブラックシリカでは遠赤外線が発生し、ラジウムではマイナスイオンを放出し、麦飯石は消臭効果が期待できる。
【００１４】
さらに、図７に示すように、前記木箱１の側面板１ｂの開口上端１ｃには３０ｍｍ幅の上枠１１を周設する。
そして該上枠１１上に、板面内に足入れ口１０を開口させるとともに下面に該上枠１１に対する係合部９ｄを設け、この係合部９ｄが上枠１１に係合されて前記枠蓋９を木箱１上にずれることなく安定的に載置できるようにする。
また、前記枠蓋９の前後の中央部位は両足の仕切りともなる突部９ａ、９ｂを形成する。
【００１５】
なお、前記木箱の側面板１ｂと底板とはブナの木製の固定ピンなどで固定し接着剤との併用でより確実に固着する。また、該上枠１１も木箱１の側面板１ｂの開口上端１ｃに前記固定ピンで固定し接着剤との併用でより確実に固定すると各部材を確実に固着することはできる。
【００１６】
（使用方法）
本考案の足湯装置を使用するときには、先ず、水抜き孔１２に栓１６をして水又な湯を入れる。そして、電源プラグ１４を電源コンセントに接続し、電熱プレート２で温水を加熱する。
水温が適温になったら、椅子などに腰を掛けて、足を入れて足載せ底板５に載せる。
もし温度が高かったり低かったりするようだったら温度調節器１５を操作して温水を適温に調節する。
しばらくすると足の温度が上がって血液の循環で身体全体が暖められるので健康にとって好ましい。
例えば、機能性石板６にブラックシリカを使用した場合では、暖められて発生した遠赤外線で足が充分に暖められ、より一層の健康増進がはかられる。
使用後は電源プラグ１４を外し、水抜き孔１２から栓１６を外し中のお湯を引抜く。
しばらく使用しないときには、側面仕切り板４を取り外して、各部を充分洗浄し、乾燥させて収納倉や倉庫に保管しておき、そしてまた使用したいときに取り出して使用すれば良い。
【産業上の利用可能性】
【００１７】
本考案は、移動可能な個人用の足湯装置であるが、横に長く形成して家族全員などの多数の人が同時に足湯を行うことが可能となるように大きく形成することも可能である。
【図面の簡単な説明】
【００１８】
【図１】本考案の使用状態を示す縦断側面図である。
【図２】木箱のみを示す斜視図である。
【図３】木箱に金属板を装着した状態を示す斜視図である。
【図４】側面仕切り板を装着する前の状態を示す斜視図である。
【図５】側面仕切り板を装着中の状態を示す斜視図である。
【図６】足載せ底板を入れる前の状態を示す斜視図である。
【図７】枠蓋を載せる前の状態を示す斜視図である。
【符号の説明】
【００１９】
１    木箱
２    電熱プレート
３    金属板
４    側面仕切り板
７    伝熱金属製底板
６    機能性石板
５    足載せ底板
５ａ  石止め孔
８    温水流通孔
９    枠蓋
９ａ  突部
９ｂ  突部
１０    足入れ口
１１    木箱の上枠
１２    水抜き孔
１３    電源コード
１４    電源プラグ
１５    温度調節器
１６    栓
１７    吊り紐
１８    着脱部
１８ａ  スライド嵌合溝
１８ｂ  スライド嵌合縁
１９    把持部
Ｗ    温水
Ｆ    足
【図１】
0003134711.tif 000003
【図２】
0003134711.tif 000004
【図３】
0003134711.tif 000005
【図４】
0003134711.tif 000006
【図５】
0003134711.tif 000007
【図６】
0003134711.tif 000008
【図７】
0003134711.tif 000009